(57)【特許請求の範囲】
【請求項１】
端子ボデー（１，１０１）と、
前記端子ボデー（１，１０１）の受容部（１１，１１１）に収容される絶縁体（２，１０２）であって、ケーブル（９，１０９）のワイヤ（８，１０８）に接続された端子を保持するのに適応した少なくとも一つの空洞（７）を有する絶縁体（２，１０２）と、
前記端子ボデー（１，１０１）の前記受容部（１１，１１１）に収容される金属製のフェルール（３）と、
を具備し、
金属製の前記フェルール（３）が、前記ケーブル（９，１０９）に圧着されるのに適応した圧着部分（２９）を有する、
電気コネクタにおいて、
金属製の前記フェルール（３）が、前記端子ボデー（１，１０１）に形状嵌め接続されることと、
金属製の前記フェルール（３）が、前記受容部（１１，１１１）の中で前記フェルール（３）をセンタリングするスリーブ状の保持部分（２８）を有することと、
前記端子ボデー（１，１０１）には、軸方向に延びるスロットが設けられることと、
前記保持部分（２８）が、径方向に突出すると共に軸方向に延びるリブであって前記スロットに挿入されるリブ（３２）を備えていること、
を特徴とする電気コネクタ。
【請求項２】
スリーブの形状に曲げられた壁部分（３０，３１）により前記フェルール（３）の前記保持部分（２８）が形成されること、
を特徴とする、請求項１に記載の電気コネクタ。
【請求項３】
前記保持部分（２８）と前記圧着部分（２９）とが軸方向に連続して配設されていること、
を特徴とする、請求項１又は２に記載の電気コネクタ。
【請求項４】
前記絶縁体（２，１０２）が前記受容部の前方部分（１４，１１４）に収容されることと、
前記フェルール（３）が前記受容部の後方部分（１３，１１３）に収容されることと、
を特徴とする、請求項１乃至３のいずれか一つに記載の電気コネクタ。
【請求項５】
前記絶縁体（２，１０２）と前記フェルール（３）とが、前記端子ボデー（１，１０１）の長手軸線（Ｌ）に平行な挿入方向（Ｍ）で前記受容部（１１，１１１）へ挿入されること、
を特徴とする、請求項１乃至４のいずれか一つに記載の電気コネクタ。
【請求項６】
端子ボデー（１，１０１）と、
前記端子ボデー（１，１０１）の受容部（１１，１１１）に収容される絶縁体（２，１０２）であって、ケーブル（９，１０９）のワイヤ（８，１０８）に接続された端子を保持するのに適応した少なくとも一つの空洞（７）を有する絶縁体（２，１０２）と、
前記端子ボデー（１，１０１）の前記受容部（１１，１１１）に収容される金属製のフェルール（３）と、
を具備し、
金属製の前記フェルール（３）が、前記ケーブル（９，１０９）に圧着されるのに適応した圧着部分（２９）を有する、
電気コネクタにおいて、
金属製の前記フェルール（３）が、前記端子ボデー（１，１０１）に形状嵌め接続されることと、
金属製の前記フェルール（３）が、前記受容部（１１，１１１）の中で前記フェルール（３）をセンタリングするスリーブ状の保持部分（２８）を有することと、
前記絶縁体（２，１０２）が前記受容部の前方部分（１４，１１４）に収容されることと、
前記フェルール（３）が前記受容部の後方部分（１３，１１３）に収容されることと、
前記絶縁体（２，１０２）と前記フェルール（３）とが、前記端子ボデー（１，１０１）の長手軸線（Ｌ）に平行な挿入方向（Ｍ）で前記受容部（１１，１１１）へ挿入されることと、
前記受容部の前記後方部分（１３，１１３）に配設されている第１停止面（１５，１１５）に前記フェルール（３）が軸線上で挿入方向（Ｍ）に支持されること、
を特徴とする電気コネクタ。
【請求項７】
前記受容部の前方部分（１４，１１４）に配設されている第２停止面（１９）に前記絶縁体（２，１０２）が軸線上で挿入方向（Ｍ）に支持されること、
を特徴とする、請求項５又は６に記載の電気コネクタ。
【請求項８】
前記端子ボデー（１，１０１）が、前記挿入方向（Ｍ）と反対の方向の引き抜き力に反して前記絶縁体（２，１０２）を支持する少なくとも一つの係止アーム（２２，１２２）を備えること、を特徴とする、請求項５から７のいずれか一つに記載の電気コネクタ。
【請求項９】
端子ボデー（１，１０１）と、
前記端子ボデー（１，１０１）の受容部（１１，１１１）に収容される絶縁体（２，１０２）であって、ケーブル（９，１０９）のワイヤ（８，１０８）に接続された端子を保持するのに適応した少なくとも一つの空洞（７）を有する絶縁体（２，１０２）と、
前記端子ボデー（１，１０１）の前記受容部（１１，１１１）に収容される金属製のフェルール（３）と、
を具備し、
金属製の前記フェルール（３）が、前記ケーブル（９，１０９）に圧着されるのに適応した圧着部分（２９）を有する、
電気コネクタにおいて、
金属製の前記フェルール（３）が、前記端子ボデー（１，１０１）に形状嵌め接続されることと、
金属製の前記フェルール（３）が、前記受容部（１１，１１１）の中で前記フェルール（３）をセンタリングするスリーブ状の保持部分（２８）を有することと、
前記絶縁体（２，１０２）と前記フェルール（３）とが、前記端子ボデー（１，１０１）の長手軸線（Ｌ）に平行な挿入方向（Ｍ）で前記受容部（１１，１１１）へ挿入されることと、
前記フェルール（３）が、前記挿入方向（Ｍ）と反対の方向に前記フェルール（３）を前記端子ボデー（１，１０１）に支持する係止突出部を備えること、
を特徴とする電気コネクタ。
【請求項１０】
前記係止突出部が、前記フェルール（３）の外周表面から径方向に突出すること、
を特徴とする、請求項９に記載の電気コネクタ。
【請求項１１】
前記フェルール（３）が、実質的にスリーブ状の形状に曲げられた金属薄板により製作されること、
を特徴とする、請求項１乃至１０のいずれか一つに記載の電気コネクタ。
【請求項１２】
前記係止突出部が、金属薄板から切り抜かれて径方向外向きに曲げられた突起（１６）であること、
を特徴とする、請求項９又は１０に記載の電気コネクタ。
【請求項１３】
前記圧着部分（２９）が、前記ケーブル（９，１０９）に巻かれて互いに重複している圧着ウィング（３３，３４）を有すること、
を特徴とする、請求項１乃至１２のいずれか一つに記載の電気コネクタ。
【発明の詳細な説明】
【技術分野】
【０００１】
本発明は、端子ボデーと、端子ボデーの受容部に収容される絶縁体であって、ケーブルのワイヤに接続された端子を保持するのに適応した少なくとも一つの空洞を有する絶縁体と、端子ボデーの受容部に収容される金属フェルールとを具備する電気コネクタに関する。金属フェルールは、ケーブルに圧着されるのに適応した圧着部分を有する。
【背景技術】
【０００２】
この種の電気コネクタは、特許文献１に開示されている。
別の電気コネクタが特許文献２に開示されている。開示されているコネクタは、誘電材料で製作された絶縁体を収容する外側シェルの形状の端子ボデーを有している。コネクタはさらに、スリーブの形状のフェルールを具備している。フェルールは、ケーブルの外側絶縁体に載置される。ケーブルの遮蔽体として機能するケーブルの外側ブレードは、フェルールの外周面に折り返される。それからフェルールが端子ボデーの受容部へ挿入される。端子ボデーは導電材料で製作されているので、端子ボデーはケーブルの遮蔽体に電気接続されている。フェルールは端子ボデーに圧入されるとともに、端子ボデーの中で絶縁体を所定箇所に保持するように機能する。絶縁体は、ケーブルのワイヤに電気接続されている複数の端子を収容する。
この種の別のコネクタが特許文献３に開示されている。
【０００３】
このようなコネクタは一般的に、高速データ伝送を必要とするとともに信頼性を持つ高速データ接続システムに使用される。高い信号速度では、平行に配向された導体の間のクロストーク干渉のため信号が劣化する。そのため、ツイストペアケーブルが広く使用され、ケーブルおよびコネクタの遮蔽によってさらに改良される。しかし、遮蔽を伴わない低コストの高速データ接続の必要性も高くなっている。
【先行技術文献】
【特許文献】
【０００４】
【特許文献１】米国特許第４３１０２１３号明細書
【特許文献２】欧州特許第１５４０７７１号明細書
【特許文献３】欧州特許第１９０５１３１号明細書
【発明の概要】
【発明が解決しようとする課題】
【０００５】
本発明の目的は、技術的に容易でコスト効率の良い手法で製造されうる、最初に記載されたような電気コネクタを提供することである。
【課題を解決するための手段】
【０００６】
この目的は、端子ボデーと、端子ボデーの受容部に収容される絶縁体であって、ケーブルのワイヤに接続された端子を保持するのに適応した少なくとも一つの空洞を有する絶縁体と、端子ボデーの受容部に収容される金属フェルールとを具備する電気コネクタにより解決される。金属フェルールは、ケーブルに圧着されるのに適応した圧着部分を有する。金属フェルールは端子ボデーに形状嵌め接続され、受容部の中でフェルールをセンタリングするスリーブ状保持部分を有する。
【０００７】
本発明によれば、フェルールは金属で製作され、ケーブルに圧着されるのに適応した圧着部分を有する。加えて、金属フェルールは端子ボデーに形状嵌め接続されている。
【０００８】
ケーブルの外側絶縁体にフェルールが圧着されうるために、フェルールは金属で製作されている。ケーブルへのフェルールの圧着は、フェルールがケーブルに確実に固着されてケーブルに沿う軸方向移動に対し高い耐性を与えることを確実にする。金属フェルールはさらに端子ボデーに形状嵌め接続されているので、高い引き抜き力耐性が得られる。
【０００９】
本発明の別の態様は、圧着部分がケーブルの外径に圧着および押圧されて圧着プロセスによりケーブルの寸法に適応するので、一つの標準サイズを有する同じフェルールが異なる外径に使用されうることである。ゆえに、端子ボデーと絶縁体と金属フェルールとは異なるケーブル直径に適応する必要がない。同じ端子ボデーと絶縁体と金属フェルールとが、異なるケーブル直径に使用されうる。
【００１０】
電気コネクタは、遮蔽ケーブルと非遮蔽ケーブルに使用されうる。遮蔽ケーブルが使用される場合、ケーブルの遮蔽体が金属フェルールに電気接続されなければならず、金属フェルールはさらに端子ボデーとの電気接触状態にある。この実施形態では、端子ボデーは導電材料で製作されなければならない。代替的に、電気コネクタは非遮蔽ケーブルにも使用されうる。この場合、端子ボデーは、コスト削減のためプラスチック材料で製作されうる。
【００１１】
好ましくは、受容部を形成する実質的管の形状を端子ボデーが有する。管状の端子ボデーへフェルールが挿入され、フェルールは、受容部の中でフェルールをセンタリングするスリーブ状保持部分を有する。保持部分は、非常にわずかな径方向あそびの有無に関わらずフェルールがセンタリングされるように保持部分を収容する受容部の一部分の内径に適応した外径を有する。圧着部分の圧着が保持部分の外径に影響しないように、圧着部分は保持部分から独立している。そのため、上述したように、圧着部分は、端子ボデーの受容部の中での保持部分の嵌着に影響することなく異なるケーブル直径に適応されうる。
【００１２】
好ましくは、スリーブの形状に曲げられた壁部分によって、フェルールの保持部分が形成される。フェルールは好ましくは、前述のような保持部分と圧着部分とを形成する実質的にスリーブのような形状に曲げられる金属薄板で製作される。
【００１３】
保持部分と圧着部分とは、軸方向に連続して配設されうる。
端子ボデーの長手軸線を中心とする特定の角度配向でフェルールが端子ボデーに取り付けられることを確実にするため、保持部分は、径方向外向きに突出する分極リブを備えうる。そして端子ボデーは、フェルールを端子ボデーへ挿入する時に分極リブが挿入されうる、長手軸線と平行に延在するスロットを備えている。
【００１４】
当業者には、分極手段が逆に配設されうることが理解される。これは、長手軸線と平行に延在するスロットをフェルールが備えて、フェルールのスロットへ延出する分極リブを端子ボデーが備えうることを意味する。
【００１５】
端子ボデーの受容部は二つの部分、つまり前方部分と後方部分とを有する。絶縁体は前方部分に収容されて、フェルールは後方部分に収容される。対応コネクタとの電気コネクタの係合方向において、前方部分は端子ボデーの前方部に、後方部分は端子ボデーの後方部に配設される。そのため、電気端子を収容するのに適応している絶縁体は、電気コネクタを対応コネクタと係合する時に、対応コネクタの端子を有する絶縁体と係合する。フェルールは、係合方向に見ると絶縁体の後ろにある。
【００１６】
絶縁体とフェルールとは、端子ボデーの長手軸線と平行な挿入方向で受容部へ挿入される。好ましくは、挿入方向は電気コネクタの係合方向と同一である。
【００１７】
挿入方向において、受容部の後方部分に配設された第１停止面に、フェルールが軸線上で支持される。第１停止面は、受容部へのフェルールの挿入中にフェルールが押入されるのは第１停止面に達するまでであることを保証する。
【００１８】
加えて、挿入方向において、受容部の前方部分に配設された第２停止面に絶縁体が軸線上で支持されている。第２停止面は、絶縁体を取り付けてこれを端子ボデーへ挿入する時に端子ボデーの受容部の奥まで絶縁体が押入され過ぎないことを保証する。
【００１９】
両方の停止面、つまり第１停止面と第２停止面とは、フェルールと絶縁体とが挿入方向に端子へ押入され過ぎないことを保証する。
【００２０】
挿入後にフェルールが受容部から引き抜かれないことを保証するため、フェルールは、挿入方向と反対の方向にも形状嵌めにより保持されている。フェルールは、挿入方向と反対の方向でフェルールを端子ボデーに支持する係止突出部を備えうる。係止突出部は、フェルールの外周表面から径方向に突出する。係止突出部は、端子ボデーの係止開口部へ突出し、この開口部により形成されている保持面に支持される。当業者には、これが逆に設けられうることが理解される。長手軸線へ径方向内向きに突出してフェルールの係止開口部へ突出する係止突出部を端子ボデーが備えてもよい。
【００２１】
フェルールを端子ボデーへ挿入することにより、係止突出部は開口部に達するまで径方向内向きに撓曲され、係止突出部は、開口部の係止面の後ろに掛かる非撓曲位置へ戻る。係止突出部は好ましくは、金属薄板材料から切り抜かれる。
【００２２】
挿入方向と反対の方向でのフェルールの支持と同様に、挿入方向と反対の方向に絶縁体が保持されるとよい。この理由のため、端子ボデーは、挿入方向と反対の方向の引き抜き力に反して絶縁体を支持する少なくとも一つの係止アームを備えうる。係止アームは端子ボデーから径方向内向きに突出して、絶縁体の係止面に軸線上で支持されている。絶縁体を端子ボデーへ挿入することにより、絶縁体の係止面の後ろに係止アームが掛かるまで、係止アームが径方向外向きに撓曲する。
【００２３】
当業者には、端子ボデーの係止面の後ろに掛かる係止アームを端子ボデーが代替的に備えうることが理解される。
【００２４】
圧着部分は好ましくは、ケーブルに巻かれて互いに重複する圧着ウィングを備えている。圧着ウィングは径方向に重複しうる。代替的に、圧着ウィングは、軸方向に重複するように軸方向に見てオフセットされていてもよい。両方の解決法では、ケーブルの異なる外径に圧着接続が適応するように圧着ウィングが異なる程度に圧着されうる。
【００２５】
添付図面を参照する以下の詳細な説明から、他の目的および利点が明白になるだろう。
【図面の簡単な説明】
【００２６】
【図１】電気コネクタの第一実施形態の分解図である。
【図２】図１による電気コネクタの第一長手断面図である。
【図３】図１による電気コネクタの別の長手断面図である。
【図４】図１による電気コネクタの斜視図である。
【図５】図１による電気コネクタの端子ボデーの長手断面図である。
【図６】図１による電気コネクタのフェルールの斜視図である。
【図７】フェルールの別の実施形態の斜視図である。
【図８】小さい直径を有するケーブルに圧着された図５によるフェルールの正面図である。
【図９】図８より大きな直径を持つケーブルに圧着された図５によるフェルールの正面図である。
【図１０】電気コネクタの第二実施形態の分解図である。
【図１１】図９による電気コネクタの第一長手断面図である。
【図１２】図９による電気コネクタの第二長手断面図である。
【発明を実施するための形態】
【００２７】
図１から５は、本発明による電気コネクタの第一実施形態を異なる図で表し、合わせて説明される。
電気コネクタは、管の形状の端子ボデー１と、絶縁体２と、金属製のフェルール３とを含む。管状の端子ボデー１は、電気コネクタを対応コネクタと係合させるための電気コネクタの係合方向と同一である挿入方向Ｍで端子ボデー１へ挿入される絶縁体２を収容する。挿入方向Ｍは、端子ボデー１により画定される長手軸線Ｌと平行に配向されている。
【００２８】
電気コネクタは、コネクタハウジング４に取り付けられるＴＰＡ（端子位置保証）装置５を有するコネクタハウジング４をさらに具備しているコネクタアセンブリの一部である。端子ボデー１は、対応コネクタアセンブリのコネクタハウジングに接続されうるコネクタハウジング４へ挿入される。
【００２９】
絶縁体２は、絶縁体２内の貫通開口部の形状であって各々が一つの雄端子６を収容する複数の空洞７を有する。本実施形態において、電気コネクタは４個の雄端子６を有し、その各々がケーブル９のワイヤ８に接続されている。当業者には、異なる数のワイヤを有する他のケーブルが使用されてもよく、雄端子６の数はワイヤ８の数に適応されることが理解されている。
【００３０】
ケーブル９は、ワイヤ８を被覆する絶縁体１０を有している。フェルール３は、後述するようにケーブル９の絶縁体１０に載置され取り付けられる。ワイヤ８の各々は導体を被覆する絶縁体１２も備え、導体はそれぞれの雄端子６に接続されている。
【００３１】
受容部１１は後方部分１３と前方部分１４とを有し、挿入方向Ｍに見ると前方部分１４は後方部分１３の前に配設されている。受容部１１の後方部分１３、前方部分１４の両方の部分は実質的に円形であり、後方部分１３は前方部分１４より大きな直径を有する。絶縁体２は前方部分１４の中に配設され、フェルール３は後方部分１３に配設されている。ケーブル９と絶縁体２とフェルール３によるサブアセンブリが、挿入方向Ｍで受容部１１内へ挿入される。受容部１１の後方部分１３の中で第１停止面１５とフェルール３が当接するまで、絶縁体２が受容部１１へ押入される。フェルール３は、第１停止面１５に支持されている第１前面２０を有する。第１停止面１５は、大きい直径を有する後方部分１３と小さい直径を有する前方部分１４との間の段部により形成されている。
【００３２】
ケーブル９の絶縁体１０は、受容部１１の前方部分１４に達する。絶縁体２の第２前面２１が端子ボデー１の第２停止面１９と当接するまで、ケーブル９の絶縁体１０の前にある絶縁体２は受容部１１の前方部分１４へ挿入される。雄端子６が長手軸線Ｌの周りの角度位置に関して正しく配向されることを保証するため、絶縁体２と端子ボデー１とは分極特徴を有する。絶縁体２は、絶縁体２の外周面に形成されて拡張部分２６を有する、長手軸線Ｌと平行に配向された誘導スロット２４を有する。拡張部分２６は、誘導スロット２４の残部よりも大きな周方向延在範囲を有している。図４で最も分かりやすく見られるように、拡張部分２６と誘導スロット２４の残部との間には第２前面２１が形成されている。
【００３３】
図５に見られるように、受容部１１の中で、端子ボデー１は、長手軸線Ｌと平行に延在して端子ボデー１の内面から径方向に突出する誘導リブ２５を有する。誘導リブ２５が誘導スロット２４に適応して、端子ボデー１に絶縁体２が取り付けられた状態で誘導スロット２４の中に配設されるように、誘導リブ２５は、誘導リブ２５の残部より大きな周方向延在範囲を有する拡張部分２７も有する。端子ボデー１の中での絶縁体２の完全挿入条件で絶縁体２の第２前面２１が誘導リブ２５の第２停止面１９と当接するように、誘導リブ２５の拡張部分２７は第２停止面１９を形成する。
【００３４】
ゆえに、絶縁体２もフェルール３も端子ボデー１の奥まで挿入され過ぎずに挿入方向Ｍでの確定位置を有することが保証される。
【００３５】
端子ボデー１からケーブル９が引き抜かれないことを保証するため、フェルール３の外周面から径方向に突出して端子ボデー１の係止開口部１７へ突出する突起１６をフェルール３が備えている。挿入方向Ｍと反対方向に、突起１６は係止開口部１７の第１係止面１８に軸線上で支持されている。フェルール３を受容部１１へ挿入する間に、係止開口部１７に突起１６が達するまで突起１６が径方向内向きに押圧され、突起１６が係止開口部１７へ突出する弛緩位置へ撓曲により戻るように、突起１６は長手軸線Ｌについて傾斜している。
【００３６】
雄端子６によってケーブル９の単一のワイヤ８にのみ絶縁体２が接続されるという事実により、電気コネクタが対応コネクタと係合する時に絶縁体２はケーブル９の絶縁体１０へ押圧されるため、ワイヤ８が曲がるか屈曲し得る。これを回避するため、弛緩位置で受容部１１へ突出する係止アーム２２を端子ボデー１が備えている。係止アーム２２は、絶縁体２が受容部へ挿入されると径方向外向きに押圧され、絶縁体２が完全挿入状態になると弛緩位置へはね戻る。絶縁体２のこの完全挿入位置では、挿入方向Ｍと反対の方向で絶縁体２が係止アーム２２に支持されるように、係止アーム２２は絶縁体２の第２係止面２３の後ろに突出する。
【００３７】
端子ボデー１がコネクタハウジング４へ挿入される時に、コネクタハウジング４の壁部分３０は、係止アーム２２が固定されるように係止アームが径方向外向きに押圧されるのを回避する。さらに、絶縁体２が端子ボデー１へ完全に挿入されていない場合には、係止アーム２２が端子ボデー１の外周面よりも突出するように係止アーム２２が絶縁体２により径方向外向きに押圧され、端子ボデー１をコネクタハウジング４へ挿入しようとするとコネクタハウジング４の壁と衝突する。これは、絶縁体２が受容部１１へ完全に挿入されたときのみ、端子ボデー１がコネクタハウジング４へ挿入されることを保証する。
【００３８】
図６から図９により詳しく示されているフェルール３は、長手軸線Ｌの軸方向に連続して配設されているスリーブ状の保持部分２８と圧着部分２９とを有する。挿入方向Ｍに見ると、圧着部分２９は保持部分２８の前に配設されている。受容部１１の後方部分１３でフェルール３が長手軸線Ｌにセンタリングされるように、保持部分２８の外径は受容部１１の後方部分１３の内径に適応している。フェルール３は金属薄板材料で製作され、図に示されているような形状に曲げられる。保持部分２８は、スリーブ状の保持部分２８となるように曲げられた二つの壁部分３０，３１を具備している。
【００３９】
フェルール３が分極リブ３２により端子ボデー１の分極スロットへ挿入されるように、保持部分２８は、保持部分２８から径方向に突出して長手軸線Ｌの方向に配向されている分極リブ３２（図７）を備えうる。図には、分極リブ（図７）を有するフェルール３の実施形態のみが示されているが、分極スロットを有する端子ボデーは示されていない。
【００４０】
圧着部分２９は二つの圧着ウィング３３，３４を有する。圧着部分２９がスリーブのような形状を有するように圧着ウィング３３，３４が曲げられている。圧着ウィング３３，３４はケーブル９の絶縁体１０に巻かれて互いに重複している。これは、挿入方向Ｍに見て圧着ウィング３３，３４が互いに前後に配設されていることを意味する。
【００４１】
図８および９に示されているように圧着部分２９が異なるケーブル直径に適応しうることを保証するため、圧着ウィング３３，３４の重複は重要である。図８は、図９に示されるようなケーブルよりも小さい直径を有するケーブルに圧着される圧着部分２９を示している。そのため、異なる直径のケーブルが一つの同じ端子ボデー１に接続されうるように、異なるケーブル直径に同じフェルール３が使用されうる。フェルール３の保持部分２８が受容部１１の後方部分１３でフェルール３をセンタリングするので、異なる直径のケーブルが端子ボデー１と接続されうる。
【００４２】
フェルール３は、また、雄端子を有したり雌端子を有する電気コネクタに使用されうる。図１０から１２は、雌端子を有する本発明による電気コネクタの第二実施形態としての対応コネクタを示しており、図１から９に開示された実施形態に関するものと同じフェルール３が使用されている。図１０から１２では、第一実施形態と同じ機能を有するすべての要素が、１００を加えた同じ参照番号を備えており、第一実施形態と関連して説明される。
【符号の説明】
【００４３】
１，１０１  端子ボデー
２，１０２  絶縁体
３  フェルール
４，１０４  コネクタハウジング
５，１０５  ＴＰＡ装置
６，１０６  端子
７  空洞
８，１０８  ワイヤ
９，１０９  ケーブル
１０，１１０  絶縁体
１１，１１１  受容部
１２，１１２  絶縁体
１３，１１３  受容部の後方部分
１４，１１４  受容部の前方部分
１５，１１５  第１停止面
１６  突起
１７，１１７  係止開口部
１８，１１８  第１係止面
１９  第２停止面
２０  第１前面
２１  第２前面
２２，１２２  係止アーム
２３，１２３  第２係止面
２４  誘導スロット
２５  誘導リブ
２６  拡張部分
２７  拡張部分
２８  保持部分
２９  圧着部分
３０  壁部分
３１  壁部分
３２  分極リブ
３３  圧着ウィング
３４  圧着ウィング
Ｌ  長手軸線
Ｍ，Ｍ´  挿入／係合方向
【図１】
0006379234.tif 000002
【図２】
0006379234.tif 000003
【図３】
0006379234.tif 000004
【図４】
0006379234.tif 000005
【図５】
0006379234.tif 000006
【図６】
0006379234.tif 000007
【図７】
0006379234.tif 000008
【図８】
0006379234.tif 000009
【図９】
0006379234.tif 000010
【図１０】
0006379234.tif 000011
【図１１】
0006379234.tif 000012
【図１２】
0006379234.tif 000013